(57)【要約】【課題】取り扱い性の向上を図る。【解決手段】蓋体３とケース本体２がヒンジ部５を介して連設され、蓋体３とケース本体２の間に収納空間４が形成され、蓋体３とケース本体２がロック部６で着脱可能に係合した収納ケース１であって、ケース本体２に、収納空間４側に押圧されることによりロック部６の係合を解除するロック解除部２７を設け、蓋体３の左右側壁３３Ｃ、３３Ｄの下端のヒンジ部５に近い位置に突起３３を設け、蓋閉時に突起３３がケース本体２の平板部２３に当たり、蓋体３が撓み変形するようにした。【選択図】　　　図１
2004099132.tif 000002
【特許請求の範囲】
【請求項１】
カセット収納空間を画成するケース本体と、該ケース本体の一端部に薄肉ヒンジ部を介して開閉動可能に連設された蓋体と、前記ケース本体と前記蓋体とを着脱可能に係合させるロック部とを有するカセット収納ケースであって、
前記ケース本体または蓋体の一方に保持され、前記収納空間側に押圧されることにより前記ロック部の係合を解除するロック解除部と、ケース閉状態でケース開動力を生じさせる弾性変形部と、を有することを特徴とするカセット収納ケース。
【請求項２】
前記ケース本体は、前記蓋体側に向かって立設したケース本体側壁を有し、前記蓋体は、前記ケース本体側に向かって立設し、前記ロック部にて前記ケース本体側壁と係合する蓋体側壁を有することを特徴とする請求項１記載のカセット収納ケース。
【請求項３】
前記ロック解除部は、前記ケース本体上に設けられ、前記蓋体側壁に当接し、前記蓋体側壁を押圧可能であることを特徴とする請求項２記載のカセット収納ケース。
【請求項４】
前記ロック解除部は、前記ケース本体上に立設された立設部と、前記立設部上に設けられ、前記蓋体側壁に当接し、前記蓋体側壁を押圧可能な凸部と、を有することを特徴とする請求項３記載のカセット収納ケース。
【請求項５】
前記蓋体側壁は、前記ケース本体に当接する突起を有し、前記突起を支点として前記蓋体が撓んだ状態で前記蓋体と前記ケース本体との係合が保持されることを特徴とする請求項２〜４のいずれかに記載のカセット収納ケース。
【請求項６】
前記ケース本体、前記蓋体、前記ロック部、前記ロック解除部、及び前記弾性変形部は、一体成型されていることを特徴とする請求項１〜５のいずれかに記載のカセット収納ケース。
【発明の詳細な説明】
【０００１】
【発明の属する技術分野】
本発明は、記録メディア系のカセットを保管・輸送するための収納ケースに関する。
【０００２】
【従来の技術】
記録メディア系のカセットを保管・輸送するための収納ケースが知られている。この種の収納ケースとして、例えば、以下に示す先行技術文献が知られている。
【０００３】
【特許公報１】
特開２００１−１３０６８１号公報（第２〜３頁、図１）
【０００４】
この収納ケースは、カセットを載置する上面開放のケース本体の一端部に、薄肉ヒンジ部を介してケース本体の上面を開閉する蓋体を連設すると共に、ケース本体と蓋体との間に、蓋体を閉位置にロックするロック部を設けた構造を備えている。この種の収納ケースを使用する場合は、ロック部によるロックを外した状態で、完閉位置にある蓋体を開いてケース本体に対しカセットを出し入れする。
【０００５】
【発明が解決しようとする課題】
ところで、従来の収納ケースは、例えばカセットを取り出すときに、ロック部のロックを外す動作と、完閉位置にある蓋体を開く動作の２動作を行う必要があり、ロックを外しながら蓋体を開かなければならないので、取り扱い性が悪かった。
【０００６】
本発明は、上記事情を考慮し、取り扱い性のよい収納ケースを提供することを目的とする。
【０００７】
【課題を解決するための手段】
【０００８】
本発明の上記目的は、下記構成により達成される。
【０００９】
（１）　カセット収納空間を画成するケース本体と、該ケース本体の一端部に薄肉ヒンジ部を介して開閉動可能に連接された蓋体と、前記ケース本体と前記蓋体とを着脱可能に係合させるロック部とを有するカセット収納ケースであって、
前記ケース本体または蓋体の一方に保持され、前記収納空間側に押圧されることにより前記ロック部の係合を解除するロック解除部と、ケース閉状態でケース開動力を生じさせる弾性変形部と、を有することを特徴とするカセット収納ケース。
（２）　前記ケース本体は、前記蓋体側に向かって立設したケース本体側壁を有し、前記蓋体は、前記ケース本体側に向かって立設し、前記ロック部にて前記ケース本体側壁と係合する蓋体側壁を有する前記（１）記載のカセット収納ケース。
（３）　前記ロック解除部は、前記ケース本体上に設けられ、前記蓋体側壁に当接し、前記蓋体側壁を押圧可能であることを特徴とする（２）記載のカセット収納ケース。
（４）　前記ロック解除部は、前記ケース本体上に立設された立設部と、前記立設部上に設けられ、前記蓋体側壁に当接し、前記蓋体側壁を押圧可能な凸部と、を有することを特徴とする（３）記載のカセット収納ケース。
（５）　前記蓋体側壁は、前記ケース本体に当接する突起を有し、前記突起を支点として前記蓋体が撓んだ状態で前記蓋体と前記ケース本体との係合が保持されることを特徴とする（２）〜（４）のいずれかに記載のカセット収納ケース。
（６）　前記ケース本体、前記蓋体、前記ロック部、前記ロック解除部、及び前記弾性変形部は、一体成型されていることを特徴とする（１）〜（５）のいずれかに記載のカセット収納ケース。
【００１０】
上記カセット収納ケースによれば、ケース本体と蓋体とを着脱可能に係合させるロック部の係合を解除するロック解除部が設けられている。このロック部は、押圧により、係合を解除する。ここで、カセット収納ケースは、ケース閉状態でケース回動力が与えられているため、係合の解除により蓋体が開く。従って、カセット収納ケースを一動作で開くことが可能になる。従って、カセット出し入れ時の取り扱い性が向上する。
【００１１】
【発明の実施の形態】
以下、本発明に係る実施形態を図面に基づいて説明する。
図１は、本発明に係る実施形態の収納ケースを示す斜視図であり、図２は収納ケースの蓋体を閉じた状態を示す斜視図であり、図３は、図２のＩＩＩ−ＩＩＩ矢視断面図である。
【００１２】
収納ケース１は、全体が樹脂の一体成形品よりなるものであり、記憶媒体カセットを載置する上面開放の矩形状のケース本体２と、このケース本体２の上面を開閉する矩形状の蓋体３とを有している。収納空間４は、ケース本体２に対して蓋体３を閉じたときに、ケース本体２と蓋体３との間に確保される。蓋体３は、ケース本体２の一端部に薄肉ヒンジ部５を介して連設されており、薄肉ヒンジ部５を支点に回動することで、ケース本体２に対して開閉可能とされている。成形時の状態は、図１に示すように蓋体３が開いた状態であり、薄肉ヒンジ部５を屈曲させることで、図２に示すように蓋体３が閉じた状態にすることができる。
【００１３】
ケース本体２の矩形状の基板２１の上面には、蓋体３側に向かって起立した第１側壁２２が立設され、蓋体３の矩形状の基板３１の下面には、ケース本体２側に向かって起立した第２側壁３２が立設されている。ケース本体２の第１側壁２２は、後部側壁２２Ａと、左右側壁２２Ｂ、２２Ｃと、前部側壁２２Ｄとから構成されている。蓋体３の第２側壁３２は、左右側壁３２Ｂ、２２Ｃと、前部側壁３２Ｄとからなり、後部側壁は、基板３１の後部側縁３１ａが薄肉ヒンジ部５を介して直接ケース本体２の後部側壁２２Ａの上端縁に連結されていることにより、省略されている。
【００１４】
蓋体３側の第２側壁３２（左右側壁３２Ｂ、２２Ｃ及び前部側壁３２Ｄ）は、蓋体３を閉位置に回動させた際に、ケース本体２側の第１側壁２２の外側に位置する箇所に形成されている。ケース本体２側の第１側壁２２を構成する側壁のうち、後部側壁２２Ａは、基板２１の後部側縁２１ａの位置で起立しているが、左右側壁２２Ｂ、２２Ｃ及び前部側壁２２Ｄは、基板２１の左右側縁２１ｂ、２１ｃ及び前部側縁２１ｄよりも内側に所定寸法引っ込んだ位置で起立している。この構成により、基板２１の左右側縁２１ｂ、２１ｃと左右側壁２２Ｂ、２２Ｃとの間、及び、基板２１の前部側縁２１ｄと前部側壁２２Ｄとの間に、蓋体３側の左右側壁３２Ｂ、３２Ｃ及び前部側壁３２Ｄの先端（蓋閉時は下端となる）を受ける平板部２３が確保されている。
【００１５】
また、蓋体３を閉じたときに互いに重なる位置で対向するケース本体２側の前部側壁２２Ｄと蓋体３側の前部側壁３２Ｄには、蓋体３を閉位置でロックするロック部６が設けられている。ロック部６は、ケース本体２の前部側壁２２Ｄに形成された係合凹部６ａと、蓋体３の前部側壁３２Ｄに形成されて、前記係合凹部６ａと係合する係合突起６ｂとで構成されており、前部側壁２２Ｄ、３２Ｄの撓みを利用して係合及び係合解除ができるようになっている。なお、例えば、ケース本体２側の前部側壁２２Ｄのロック部６の両側にスリット２５を入れて、ロック部６を含む部分を独立した可撓側壁２６として構成することにより、当該可撓側壁２６部分を撓み易くすることもできる。
【００１６】
また、図３に示すように、蓋体３を閉じたとき、蓋体３側の前部側壁３２Ｄはケース本体２側の前部側壁２２Ｄよりも前側に被さる。そこで、その蓋体３側の前部側壁３２Ｄよりも前側の位置には、収納空間４側に押圧されることにより、ロック部６の係合を解除するロック解除部２７が設けられている。このロック解除部２７は、ケース本体２の基板２１の前部側縁２１ｄより起立した立設部２７ａと、この立設部２７ａの内側面に突設されて、ケース本体２の前部側壁２２Ｄに当接し、前部側壁２２Ｄ（可撓側壁２６を設けた場合は可撓側壁２６）を押圧可能な凸部２７ｂとから構成される。なお、凸部２７ｂをケース本体２の前部側壁２２Ｄに当接させることができるように、蓋体３の前部側壁３２Ｄには、切欠３７が設けられている。
【００１７】
また、蓋体３側の左右側壁３２Ｂ、３２Ｃの薄肉ヒンジ部５に近い位置には、蓋体３を閉じ位置に回動させたときに、ケース本体２に確保した平板部２３により押圧される突起３３が設けられている。これらの突起３３は、蓋体３を閉じ位置にロックしたときに蓋体３に撓みを与える役目を果たすもので、蓋体３は、閉じ位置にロックされた状態で、自身の撓みにより開方向の付勢力を持つことになる。
【００１８】
次に作用を説明する。
この収納ケース１にカセットを収納する場合、蓋体３を開いて、ケース本体２上にカセットを載置した後、蓋体３を閉じる。そうすると、最後まで閉じる手前で蓋体３に設けた突起３３がケース本体２の平板部２３に当接する。従って、その状態から更に蓋体３を閉じると、蓋体３が撓みながらケース本体２とロックする。
【００１９】
次にカセットを取り出す場合は、ロック解除部２７を押圧し、ロック解除部２７の凸部２７ｂでケース本体２の前部側壁２２Ｄを内方に撓ませる。そうすると、ロック部６によるロックが外れ、撓みながらロックしていた蓋体３が、自身の撓みを戻すことにより、所定の位置まで自動的に開く。従って、ロック解除部２７を押すという１動作で、ロックを解除しながら蓋体３を開くことができ、カセットを取り出すまでの作業が容易に行える。
【００２０】
なお、ロック部６を設ける位置は、収納ケースの前部に限定されず、図４に示す収納ケース１Ｂのように、左右側部であってもよい。その場合、ロック解除部２７もロック部６の位置に対応して配置する。
【００２１】
また、上記実施形態では、ロック解除部２７でケース本体２の前部側壁２２Ｄを収納空間４側に押圧することにより、ロック部６のロックを解除する場合を示したが、図５に示すように、ロック解除部２７で蓋体３側の前部側壁３３Ｄを押圧することにより、ロックを解除するようにしてもよい。その場合、蓋体３側の前部側壁３２Ｄとケース本体２側の前部側壁２２Ｄの前後関係を逆にし、ロック部６を構成する係合凹部６ａと係合突起６ｂを前記と反対側の面に設ける。
【００２２】
また、上記実施形態では、蓋体３を閉じたときにケース本体２側の平板部２３に押圧する突起３３を蓋体３に設けた場合を示したが、突起３３を設ける代わりに、ヒンジ部５を多少肉厚に形成してもよい。そうした場合、射出成形で製作した屈曲していない状態から、蓋体３の閉じ動作に伴い屈曲した状態に変形した段階で、ヒンジ部５に復元力が生じることになるので、前記と同様の作用効果を得ることができる。
【００２３】
【発明の効果】
以上説明したように、本発明によれば、蓋体を閉じた状態でロック解除部を押圧することにより、１動作で蓋体をロック解除して開くことができる。従って、カセットの出し入れ時の取り扱い性が良好になる。
【図面の簡単な説明】
【図１】本発明の実施形態のカセット収納ケースを示す斜視図である。
【図２】カセット収納ケースの蓋体を閉じた状態を示す斜視図である。
【図３】図２のＩＩＩ−ＩＩＩ矢視断面図である。
【図４】本発明の他の実施形態の概略構成を示す斜視図である。
【図５】本発明の更に他の実施形態の要部断面図である。
【符号の説明】
１　収納ケース
２　ケース本体
３　蓋体
４　収納空間
５　薄肉ヒンジ部
６　ロック部
２２　第１側壁
２７　ロック解除部
２７ａ　立設部
２７ｂ　凸部
３２　第２側壁
【図１】
2004099132.tif 000003
【図２】
2004099132.tif 000004
【図３】
2004099132.tif 000005
【図４】
2004099132.tif 000006
【図５】
2004099132.tif 000007